(57)【特許請求の範囲】
【請求項１】
洋式便器のボウル部を洗浄するため給水源から前記洋式便器のリム通水路へ洗浄水を供給するボウル給水管と前記リム通水路との接続構造であって、
前記ボウル給水管の先端部を係止する規制部材として前記ボウル給水管の先端部が貫通する貫通孔を有する規制壁体を前記リム通水路の入水部に設け、
前記ボウル給水管の先端部より給水源側の一部に形成された中間部を係止する固定部材として前記ボウル給水管の中間部が貫通する貫通孔を有する固定壁体を前記洋式便器の空洞部内に設け、
前記規制壁体と前記固定壁体との間に、前記洋式便器と一体形成された壁体によって区画された閉塞空間を設け、
前記ボウル給水管の先端部が給水源方向へ移動しないように拘束した状態で当該先端部を前記規制壁体の貫通孔に係止するとともに、前記ボウル給水管の中間部を前記固定壁体の貫通孔に貫通させ当該貫通孔から給水源方向に突出した前記中間部を給水源方向へ引っ張った状態で前記固定壁体に固定することにより、前記閉塞空間内に位置するボウル給水管に張力を与えた状態で当該ボウル給水管を前記規制壁体および前記固定壁体に固定したことを特徴とする給水管接続構造。
【請求項２】
前記規制壁体に対する前記ボウル給水管の先端部の貫通部分、前記固定壁体に対する前記ボウル給水管の貫通部分の少なくとも一方を水密構造とした請求項１記載の給水管接続構造。
【請求項３】
前記規制壁体に対する前記ボウル給水管の先端部の貫通部分、前記固定壁体に対する前記ボウル給水管の貫通部分の少なくとも一方を気密構造とした請求項１または２記載の給水管接続構造。
【請求項４】
前記ボウル給水管の先端部を、前記ボウル部の上面開口の最大短径部近傍に配置した請求項１〜３のいずれかに記載の給水管接続構造。
【発明の詳細な説明】
【０００１】
【発明の属する技術分野】
本発明は洋式便器のボウル部へ洗浄水を供給するために配管されるボウル給水管と洋式便器との接続構造に関する。
【０００２】
【従来の技術】
洋式便器のボウル部へ洗浄水を供給するため給水源から配管されるボウル給水管と洋式便器との接続構造に関する技術が特開平９−４１４６９号公報に開示されている。この技術においては、便器の背面上部において当該便器とボウル給水管との接続が行われているので、ボウル給水管の接続作業が容易である。
【０００３】
【発明が解決しようとする課題】
前記公報に開示されている給水管接続構造においては、ボウル給水管の基端部は便器に固定されているがその先端部分は全く拘束されていないので、ボウル洗浄水が供給されたとき洗浄水の流動圧力などによってボウル給水管の先端部分が移動したり、振動したりすることがあり、これによって洗浄水がボウル部外へ飛散したり、洗浄不良が生じることがある。また、経年変化によりボウル給水管の先端部が重力で撓んで洗浄水の吐出方向が変わり、前述したような洗浄水の飛散や洗浄不良などが生じることもある。
【０００４】
本発明が解決しようとする課題は、便器に対するボウル給水管の接続作業が容易であり、ボウル部外への洗浄水の飛散を抑制しつつ洗浄不良が発生しない給水管接続構造を提供することにある。
【０００５】
【課題を解決するための手段】
本発明の給水管接続構造は、洋式便器のボウル部を洗浄するため給水源から前記洋式便器のリム通水路へ洗浄水を供給するボウル給水管と前記リム通水路との接続構造であって、
前記ボウル給水管の先端部を係止する規制部材として前記ボウル給水管の先端部が貫通する貫通孔を有する規制壁体を前記リム通水路の入水部に設け、
前記ボウル給水管の先端部より給水源側の一部に形成された中間部を係止する固定部材として前記ボウル給水管の中間部が貫通する貫通孔を有する固定壁体を前記洋式便器の空洞部内に設け、
前記規制壁体と前記固定壁体との間に、前記洋式便器と一体形成された壁体によって区画された閉塞空間を設け、
前記ボウル給水管の先端部が給水源方向へ移動しないように拘束した状態で当該先端部を前記規制壁体の貫通孔に係止するとともに、前記ボウル給水管の中間部を前記固定壁体の貫通孔に貫通させ当該貫通孔から給水源方向に突出した前記中間部を給水源方向へ引っ張った状態で前記固定壁体に固定することにより、前記閉塞空間内に位置するボウル給水管に張力を与えた状態で当該ボウル給水管を前記規制壁体および前記固定壁体に固定したことを特徴とする。
【０００６】
このような構成とすることにより、ボウル給水管の先端部がリム通水路の入水部に固定された構造となり、洗浄水の吐水圧力や流動時の振動あるいは経年変化などでボウル給水管の先端部が移動したり振動したりすることがなくなり、洗浄水の吐水方向が初期状態のまま一定に保たれるので、ボウル部外への洗浄水の飛散を抑制しつつ洗浄不良も発生しなくなる。また、ボウル給水管の先端部をリム通水路の入水部に係止する構造を採用することにより、これらの係止作業はボウル部の上縁部分を周回して下方へ開口しているリム通水路側から入水部へボウル給水管を挿入し、作業者の手を差し込んで行うことが可能であるため、便器に対するボウル給水管の接続作業も容易である。
【０００７】
ここで、前記ボウル給水管の先端部を係止する規制部材を前記リム通水路の入水部に設け、前記ボウル給水管の先端部より給水源側の一部を係止する固定部材を前記洋式便器の空洞部内に設けることにより、ボウル給水管の先端部およびこれより給水源側の一部の複数箇所がそれぞれ規制部材および固定部材で係止されるため、ボウル給水管の保持機能が高まり、洗浄水飛散や洗浄不良をさらに有効に防止することができるようになる。
【０００８】
この場合、前記規制部材として前記ボウル給水管の先端部が貫通する規制壁体を設け、前記固定部材として前記ボウル給水管が貫通する固定壁体を設けることにより、ボウル給水管の先端部およびその他の部分を確実に係止することができるようになり、このような規制壁体および固定壁体は、洋式便器の製造工程において当該便器と一体的に形成することが可能であるため、製造工程の複雑化を回避することができる。
【０００９】
また、前記規制壁体に対する前記ボウル給水管の先端部の貫通部分を水密構造とすることにより、ボウル部の清掃時の洗剤や水が便器の空洞部に浸入するのを防止することができ、前記固定壁体に対する前記ボウル給水管の貫通部分を水密構造とすることにより、前記洗剤や水が便器外へ漏出するのを防止することができるようになる。
【００１０】
前記規制壁体に対する前記ボウル給水管の先端部の貫通部分および前記固定壁体に対する前記ボウル給水管の貫通部分を気密構造とすることより、便器の構造上、規制壁体と固定壁体との間に閉塞空間を形成せざるを得ないような場合、当該閉塞空間の気密性を保ち、空気中の水分の浸入を防止できるようになるので、当該閉塞空間内に位置するボウル給水管の結露をなくすことができる。
【００１１】
一方、前記ボウル給水管の先端部を、前記ボウル部の上面開口の最大短径部近傍に配置することが望ましい。ここで、ボウル部の上面開口の最大短径部とは、平面視形状が卵形または略楕円形をしたボウル上面開口の横幅方向の内径が最も大である部分をいい、ボウル部の前方とは、洋式便器に使用姿勢で腰掛けた人間から見た前方をいう。ボウル給水管の先端部をこのような最大短径部近傍に配置することにより、ボウル給水管の先端部はボウル部の直線形状に近いところに位置することとなり、吐水後の洗浄水が直ちにボウル部の曲面部分に当たらないので、ボウル部外への洗浄水の飛散を抑制しつつ洗浄不良が発生しなくなる。
【００１２】
【発明の実施の形態】
図１は本発明の第１実施形態である洋式便器における給水管接続構造を示す一部切欠平面図、図２は図１におけるボウル給水管に沿った垂直断面図、図３は図２の要部拡大図である。
【００１３】
図１に示すように、洋式便器１は、排泄物を受け止めるボウル部２と、ボウル部２の上縁部分を周回するように形成されたリム通水路３と、ボウル部２の底面部分に形成されたトラップ４へ洗浄水を供給するためのトラップ給水管５と、ボウル部２へ洗浄水を供給するためのボウル給水管６などで構成され、トラップ給水管５およびボウル給水管６の基端部は、便器１の背面部分に設けられた給水配管７，８に接続されている。
【００１４】
ボウル給水管６の先端部６ａは、リム通水路３の入水部３ａに便器１と一体形成された規制壁体９に貫通状態で係止され、先端部６ａより給水源側に位置する中間部６ｂは、便器１の空洞部１ａ内に便器１と一体形成された固定壁体１０に貫通状態で係止されている。規制壁体９と固定壁体１０との間は、便器１と一体形成された壁体１１によって区画された閉塞空間１２となっている。
【００１５】
図２，３に示すように、ボウル給水管６の先端部６ａは規制壁体９に設けられた貫通孔９ａに、フランジ１３ａを有する円筒状の規制部材１３を介在させた状態で係止されており、中間部６ｂは外周に雄ねじ部を有する管状ボルトで形成されており、この中間部（管状ボルト）６ｂを固定壁体１０の貫通孔１０ａに貫通させナット１４を螺着させることによって固定されている。ボウル給水管６の先端部６ａは規制部材１３によって給水源方向へ移動しないように拘束されているので、ナット１４を締め付けることにより、閉塞空間１２内に位置するボウル給水管６に若干の張力を与えた状態で固定されている。
【００１６】
給水源（図示せず）から供給された洗浄水は給水配管８を経由してボウル給水管６へ入り、ボウル給水管６を通って先端部６ａから入水口３ａへ吐出され、リム通水路３の内面に沿って回転するとともにボウル部２上面に沿って螺旋状に回転しながらトラップ４へ落下していくようになっている。このとき、ボウル給水管６は給水配管８から先端部６ａに向かって水勾配が設けられているので、ボウル給水管６内に著しく洗浄水が残ることはない。
【００１７】
このように、ボウル給水管６の先端部６ａは規制壁体９によりリム通水路３の入水部３ａに係止され、中間部６ｂは固定壁体１０によって固定されているため、ボウル洗浄水の吐水圧力や流動時の振動あるいは経年変化などによってボウル給水管６の先端部６ａが移動したり振動したりすることがなく、洗浄水の吐水方向が初期状態のまま一定に保たれるので、ボウル部２外への洗浄水の飛散を抑制しつつ、ボウル部２全体をムラなく洗浄することができる。
【００１８】
また、リム通水路３の入水部３ａに対するボウル給水管６の係止作業はボウル部２の上縁部分を周回して下方に開口しているリム通水路３側から入水部３ａへボウル給水管６を挿入して作業者の手などを差し込んで行うことが可能であり、固定壁体１０に対するボウル給水管６の中間部６ｂの係止作業は便器１の空洞部１ａから行うことができるので、便器１に対するボウル給水管６の接続作業も容易である。また、規制壁体９および固定壁体１０は、洋式便器１の製造工程において当該便器１と同じ素材で一体的に成型されているため、製造工程の複雑化を回避することができる。
【００１９】
さらに、図１に示すように、ボウル給水管６の先端部６ａを、ボウル部２の上面開口２ａの最大短径部２ｂよりやや前方に配置しているため、ボウル給水管６の先端部６ａはボウル部２の直線形状に近いところに位置することとなり、吐水後の洗浄水が直ちにボウル部２の曲面部分に当たらないので、ボウル部２外への洗浄水の飛散を抑制しつつ洗浄不良も発生しなくなる。なお、最大短径部２ｂとは、平面視形状が卵形をした上面開口２ａの横幅方向の内径が最も大である部分をいい、ボウル部２の前方とは、洋式便器１に使用姿勢で腰掛けた人間から見た前方をいう。
【００２０】
次に、図４に示す第２実施形態では、外周に突起を有する円筒状の規制部材１５をボウル給水管６の先端部６ａに環装し、規制部材１５とともに先端部６ａを規制壁体９の貫通孔９ａに圧入することによって先端部６ａを規制壁体９に係止している。このような構造とすることにより、部品点数を削減することが可能となるだけでなく、組立性も向上する。そのほかの構造、機能などは前述した給水管接続構造と同様である。
【００２１】
図５に示す第３実施形態では、図１の場合と同様にボウル給水管６の先端部６ａを規制部材１３を介在させて規制壁体９の貫通孔９ａに係止するとともに、貫通孔９ａと先端部６ａとの間を水密構造としている。この水密構造は、合成樹脂やエラストマー、ゴムなどの弾性材をボウル給水管６の先端部６ａと規制壁体９との間で圧潰することよって形成している。このような水密構造を設けることにより、ボウル部２の清掃などを行った場合の貫通孔９ａ部分から閉塞空間１２内への水や洗剤の浸入を防止することができるので衛生的である。そのほかの構造、機能などは前述した給水管接続構造と同様である。
【００２２】
次に図６に示す第４実施形態では、図１の場合と同様にボウル給水管６の中間部６ｂをナット１４などで固定壁体１０の貫通孔１０ａに係止するとともに、貫通孔１０ａと中間部６ｂとの間に水密構造を設けている。この水密構造は、合成樹脂やエラストマー、ゴムなどの弾性材をボウル給水管６の中間部６ｂと固定壁体１０との間で圧潰することよって形成している。このような水密構造を設けることにより、ボウル部２の清掃などを行った場合、貫通孔９ａ部分から浸入した水や洗剤がボウル給水管６を伝わって貫通孔１０ａから便器１の外へ漏出するのを防止することができるので衛生的である。
【００２３】
次に図７に示す第５実施形態では、ボウル給水管６の先端部６ａと貫通孔９ａとの接続部分およびボウル給水管６の中間部６ｂと貫通孔１０ａとの接続部分の両方を気密かつ水密構造としている。このような気密・水密構造は、合成樹脂やエラストマー、ゴムなどの弾性材を、ボウル給水管６の先端部６ａと規制壁体９との間で圧潰したり、ボウル給水管６の中間部６ｂと固定壁体１０との間で圧潰したりすることよって形成している。このような気密・水密構造を設けることにより、前述したように清掃時に水や洗剤が閉塞空間１２内へ浸入したり、便器１の外へ漏出したりするのを防止できるほか、閉塞空間１２が外部から隔離された気密室となり空気中の水分の浸入を防止できるので、閉塞空間１２内に位置するボウル給水管６の結露をなくすことができる。
【００２４】
【発明の効果】
本発明により、以下の効果を奏する。
【００２５】
（１）洋式便器のボウル部を洗浄するため給水源から前記洋式便器のリム通水路へ洗浄水を供給するボウル給水管と前記リム通水路との接続構造において、
前記ボウル給水管の先端部を係止する規制部材として前記ボウル給水管の先端部が貫通する貫通孔を有する規制壁体を前記リム通水路の入水部に設け、
前記ボウル給水管の先端部より給水源側の一部に形成された中間部を係止する固定部材として前記ボウル給水管の中間部が貫通する貫通孔を有する固定壁体を前記洋式便器の空洞部内に設け、
前記規制壁体と前記固定壁体との間に、前記洋式便器と一体形成された壁体によって区画された閉塞空間を設け、
前記ボウル給水管の先端部が給水源方向へ移動しないように拘束した状態で当該先端部を前記規制壁体の貫通孔に係止するとともに、前記ボウル給水管の中間部を前記固定壁体の貫通孔に貫通させ当該貫通孔から給水源方向に突出した前記中間部を給水源方向へ引っ張った状態で前記固定壁体に固定することにより、前記閉塞空間内に位置するボウル給水管に張力を与えた状態で当該ボウル給水管を前記規制壁体および前記固定壁体に固定したことにより、ボウル給水路の先端部が移動、振動しなくなり、吐水方向が一定に保たれるため、ボウル部外への洗浄水の飛散を抑制しつつ洗浄不良が発生しなくなり、便器に対するボウル給水管の接続作業も容易である。
【００２６】
（２）前記ボウル給水管の先端部を係止する規制部材を前記リム通水路の入水部に設け、前記ボウル給水管の先端部より給水源側の一部を係止する固定部材を前記洋式便器の空洞部内に設けることにより、ボウル給水管の保持機能が高まるため、洗浄水の飛散を抑制しつつ洗浄不良をさらに有効に防止することができるようになる。
【００２７】
（３）前記規制部材として前記ボウル給水管の先端部が貫通する規制壁体を設け、前記固定部材として前記ボウル給水管が貫通する固定壁体を設けることにより、ボウル給水管を確実に係止することができるようになり、規制壁体および固定壁体は便器製造工程において当該便器と一体成型することが可能であるため、製造工程の複雑化を回避することができる。
【００２８】
（４）前記規制壁体に対する前記ボウル給水管の先端部の貫通部を水密構造とすることによりボウル部の清掃時の洗剤や水が便器の空洞部に浸入するのを防止することができ、前記固定壁体に対する前記ボウル給水管の貫通部を水密構造とすることにより、前記洗剤や水が便器外へ漏出するのを防止することができる。
【００２９】
（５）前記規制壁体に対する前記ボウル給水管の先端部の貫通部および前記固定壁体に対する前記ボウル給水管の貫通部を気密構造とすることより、便器の構造上、規制壁体と固定壁体との間に閉塞空間を形成せざるを得ないような場合、当該閉塞空間の気密性を保ち、当該閉塞空間内に位置するボウル給水管の結露をなくすことができる。
【００３０】
（６）前記ボウル給水管の先端部を、前記ボウル部の上面開口の最大短径部近傍に配置することにより、ボウル給水管の先端部はボウル部の直線形状に近いところに位置することとなり、吐水後の洗浄水が直ちにボウル部の曲面部分に当たらなくなるので、ボウル部外への洗浄水の飛散を抑制しつつ洗浄不良も発生しなくなる。
【図面の簡単な説明】
【図１】  本発明の第１実施形態である洋式便器における給水管接続構造を示す一部切欠平面図である。
【図２】  図１におけるボウル給水管に沿った垂直断面図である。
【図３】  図２の要部拡大図である。
【図４】  第２実施形態である給水管接続構造を示す断面図である。
【図５】  第３実施形態である給水管接続構造を示す断面図である。
【図６】  第４実施形態である給水管接続構造を示す断面図である。
【図７】  第５実施形態である給水管接続構造を示す断面図である。
【符号の説明】
１  洋式便器
１ａ  空洞部
２  ボウル部
２ａ  上面開口
２ｂ  最大短径部
３  リム通水路
３ａ  入水部
４  トラップ
５  トラップ給水管
６  ボウル給水管
６ａ  先端部
６ｂ  中間部（管状ボルト）
７，８  給水配管
９  規制壁体
９ａ，１０ａ  貫通孔
１０  固定壁体
１１  壁体
１２  閉塞空間
１３，１５  規制部材
１３ａ  フランジ部
１４  ナット
【図１】
0004023154.tif 000002
【図２】
0004023154.tif 000003
【図３】
0004023154.tif 000004
【図４】
0004023154.tif 000005
【図５】
0004023154.tif 000006
【図６】
0004023154.tif 000007
【図７】
0004023154.tif 000008